(57)【要約】【課題】音を利用して犬を落ち着かせる際に居合わせる人間に対して音の影響を排除することができる環境調整装置を提供する。【解決手段】環境調整装置２２は、犬ＤＧに心地よい周波数を含む音を特定する音信号を出力する音源２３と、音源２３に接続されて音信号を受信し、店内の人間ＨＢに聞こえる音圧レベルよりも低い音圧レベルで犬ＤＧに心地よい周波数を含む音を聞かせる音再生機２４とを備える。【選択図】図２
0003219993.tif 000002
【実用新案登録請求の範囲】
【請求項１】
犬に心地よい周波数を含む音を特定する音信号を出力する音源と、
前記音源に接続されて前記音信号を受信し、店内の人間に聞こえる音圧レベルよりも低い音圧レベルで犬に前記周波数を含む音を聞かせる音再生機と
を備えることを特徴とする環境調整装置。
【請求項２】
請求項１に記載の環境調整装置において、前記周波数は人間の可聴周波数域に含まれることを特徴とする環境調整装置。
【請求項３】
構造体と、
前記構造体に関連づけられて、犬に心地よい周波数を含む音を特定する音信号を出力する音源と、
前記構造体内の空間に設置され、前記音源に接続されて前記音信号を受信し、人間に聞こえる音圧レベルよりも低い音圧レベルで犬に前記周波数を含む音を聞かせる音再生機と
を備えることを特徴とする建造物。
【請求項４】
請求項３に記載の建造物において、前記周波数は人間の可聴周波数域に含まれることを特徴とする建造物。
【請求項５】
犬に心地よい周波数を含む音を特定する音信号を出力する音源と、
前記音源に接続されて前記音信号を受信し、テーブルの天板よりも低い空間に向けて前記周波数を含む音を出力する音再生機と
を備えることを特徴とする環境調整装置。
【請求項６】
請求項５に記載の環境調整装置において、前記周波数は人間の可聴周波数域に含まれることを特徴とする環境調整装置。
【請求項７】
請求項５または６に記載の環境調整装置において、前記音再生機は、前記天板よりも低い空間に向かって指向性を有することを特徴とする環境調整装置。
【請求項８】
犬に心地よい周波数を含む音を特定する音信号を出力する音源と、
前記音源に接続されて前記音信号を受信し、テーブルの天板よりも低い空間に向けて前記周波数を含む音を出力する音再生機と
を備えることを特徴とする店舗。
【請求項９】
請求項８に記載の店舗において、前記周波数は人間の可聴周波数域に含まれることを特徴とする店舗。
【請求項１０】
請求項８または９に記載の店舗において、前記音再生機は、前記天板よりも低い空間に向かって指向性を有することを特徴とする店舗。
【考案の詳細な説明】
【技術分野】
【０００１】
本考案は、犬に音を聞かせる音再生機を備える環境調整装置、並びに、そうした環境調整装置を利用した建造物および店舗に関する。
【背景技術】
【０００２】
特許文献１は、ペットの訓練に用いられるペット用しつけ用具を開示する。ペット用しつけ用具は、首輪に連結される引き紐（リード）が引っ張られると動作するスイッチと、スイッチが動作すると音を発生する発音体とを備える。発音体は、チャイム音や落雷音、アラーム音、サイレン音などを発する。
【０００３】
特許文献２は、人間または動物の緊張感や不安感を効果的になだめるリラクゼーション装置を開示する。リラクゼーション装置は、人間または動物の胸部に接触して振動を発生する振動手段と、音声信号に基づき、なだめるような音（心音または呼吸音）を出力する音声出力手段とを備える。近距離で振動を感じさせ心音または呼吸音を聞かせることで人間または動物をリラックスさせ緊張感や不安感をなだめることができる。
【先行技術文献】
【特許文献】
【０００４】
【特許文献１】特開２００３−２２５０２９号公報
【特許文献２】実用新案登録第３２０９５３９号
【考案の概要】
【考案が解決しようとする課題】
【０００５】
特許文献１では、ペット用しつけ用具がペットの首輪と引き紐との間に連結される際に、出力されるチャイム音や落雷音、アラーム音、サイレン音が居合わせる人間にどう影響するか、全く言及されていない。特許文献２では、リラクゼーション装置が動物に装着される際に、出力される心音や呼吸音が居合わせる人間にどう影響するか、全く言及されていない。例えば店内で寛ぐ人間の耳に、チャイム音や落雷音、アラーム音、サイレン音、心音、呼吸音が入ってくると、ひとは不快感を覚えるかもしれない。
【０００６】
本考案は、上記実状に鑑みてなされたもので、音を利用して犬を落ち着かせる際に居合わせる人間に対して音の影響を排除することができる環境調整装置を提供することを目的とする。
【課題を解決するための手段】
【０００７】
本考案の第１側面によれば、犬に心地よい周波数を含む音を特定する音信号を出力する音源と、前記音源に接続されて前記音信号を受信し、店内の人間に聞こえる音圧レベルよりも低い音圧レベルで犬に前記周波数を含む音を聞かせる音再生機とを備える環境調整装置は提供される。
【０００８】
音再生機は、犬に心地よい周波数を含む音を出力するので、店内の犬は吠えたり暴れたりせずに落ち着いて居ることができる。このとき、音は人間に聞こえる音圧レベルよりも低い音圧レベルであるので、音は犬の耳に届くものの人間に聞こえることはなく、居合わせる人間に対して音の影響は排除されることができる。特に、初めて居合わせた犬同士であっても、心地よい周波数を含む音の影響で、落ち着きなく騒ぐことは回避されることができる。
【０００９】
第２側面によれば、第１側面の構成に加えて、前記周波数は人間の可聴周波数域に含まれる。そもそも犬に心地よい周波数が人間の可聴周波数域外であれば、音再生機からどんな音圧レベルで音が出力されても、居合わせる人間に対して音の影響は排除されることができる。したがって、前述のような環境調整装置は、犬に心地よい周波数が人間の可聴周波数域に含まれる際に大いに効果を発揮する。
【００１０】
本考案の第３側面によれば、構造体と、前記構造体に関連づけられて、犬に心地よい周波数を含む音を特定する音信号を出力する音源と、前記構造体内の空間に設置され、前記音源に接続されて前記音信号を受信し、人間に聞こえる音圧レベルよりも低い音圧レベルで犬に前記周波数を含む音を聞かせる音再生機とを備える建造物は提供される。
【００１１】
音再生機は、犬に心地よい周波数を含む音を出力するので、店内の犬は吠えたり暴れたりせずに落ち着いて居ることができる。このとき、音は人間に聞こえる音圧レベルよりも低い音圧レベルであるので、音は犬の耳に届くものの人間に聞こえることはなく、居合わせる人間に対して音の影響は排除されることができる。特に、初めて居合わせた犬同士であっても、心地よい周波数を含む音の影響で、落ち着きなく騒ぐことは回避されることができる。
【００１２】
第４側面によれば、第３側面の構成に加えて、前記周波数は人間の可聴周波数域に含まれる。そもそも犬に心地よい周波数が人間の可聴周波数域外であれば、音再生機からどんな音圧レベルで音が出力されても、居合わせる人間に対して音の影響は排除されることができる。したがって、前述のような建造物は、犬に心地よい周波数が人間の可聴周波数域に含まれる際に大いに効果を発揮する。
【００１３】
本考案の第５側面によれば、犬に心地よい周波数を含む音を特定する音信号を出力する音源と、前記音源に接続されて前記音信号を受信し、テーブルの天板よりも低い空間に向けて前記周波数を含む音を出力する音再生機とを備える環境調整装置は提供される。
【００１４】
一般に、店内では、犬の耳はテーブルの天板よりも低い空間内に位置することが多い。したがって、音再生機から出力される音は犬に耳に届く。音再生機は、犬に心地よい周波数を含む音を出力するので、店内の犬は吠えたり暴れたりせずに落ち着いて居ることができる。このとき、人間の耳はテーブルの天板よりも高い空間内に位置することが多いので、音は犬の耳に届くものの人間に聞こえることはなく、居合わせる人間に対して音の影響は排除されることができる。特に、初めて居合わせた犬同士であっても、心地よい周波数を含む音の影響で、落ち着きなく騒ぐことは回避されることができる。
【００１５】
第６側面によれば、第５側面の構成に加えて、前記周波数は人間の可聴周波数域に含まれる。そもそも犬に心地よい周波数が人間の可聴周波数域外であれば、音再生機からどんな音圧レベルで音が出力されても、居合わせる人間に対して音の影響は排除されることができる。したがって、前述のような環境調整装置は、犬に心地よい周波数が人間の可聴周波数域に含まれる際に大いに効果を発揮する。
【００１６】
第７側面によれば、第５または第６側面の構成に加えて、前記音再生機は、前記天板よりも低い空間に向かって指向性を有する。指向性に応じて特定の空間にのみ音は伝達されるので、居合わせる人間の耳に対して音が到達することはできる限り抑制されることができる。
【００１７】
本考案の第８側面によれば、犬に心地よい周波数を含む音を特定する音信号を出力する音源と、前記音源に接続されて前記音信号を受信し、テーブルの天板よりも低い空間に向けて前記周波数を含む音を出力する音再生機とを備える店舗は提供される。
【００１８】
一般に、店内では、犬の耳はテーブルの天板よりも低い空間内に位置することが多い。したがって、音再生機から出力される音は犬に耳に届く。音再生機は、犬に心地よい周波数を含む音を出力するので、店内の犬は吠えたり暴れたりせずに落ち着いて居ることができる。このとき、人間の耳はテーブルの天板よりも高い空間内に位置することが多いので、音は犬の耳に届くものの人間に聞こえることはなく、居合わせる人間に対して音の影響は排除されることができる。特に、初めて居合わせた犬同士であっても、心地よい周波数を含む音の影響で、落ち着きなく騒ぐことは回避されることができる。
【００１９】
第９側面によれば、第８側面の構成に加えて、前記周波数は人間の可聴周波数域に含まれる。そもそも犬に心地よい周波数が人間の可聴周波数域外であれば、音再生機からどんな音圧レベルで音が出力されても、居合わせる人間に対して音の影響は排除されることができる。したがって、前述のような環境調整装置は、犬に心地よい周波数が人間の可聴周波数域に含まれる際に大いに効果を発揮する。
【００２０】
第１０側面によれば、第８または第９側面の構成に加えて、前記音再生機は、前記天板よりも低い空間に向かって指向性を有する。指向性に応じて特定の空間にのみ音は伝達されるので、居合わせる人間の耳に対して音が到達することはできる限り抑制されることができる。
【考案の効果】
【００２１】
以上のように開示の装置によれば、音を利用して犬を落ち着かせる際に居合わせる人間に対して音の影響を排除することができる環境調整装置は提供される。
【図面の簡単な説明】
【００２２】
【図１】本考案の一実施形態に係る店舗を含む建造物の外観を概略的に示す斜視図である。
【図２】第１実施形態に係る環境調整装置を採用する店舗の構造を概略的に示す遠近法図である。
【図３】国際規格ＩＳＯ２２６で規定される等ラウドネスレベル曲線を示すグラフである。
【図４】第１実施形態の変形例に係る店舗の構造を概略的に示す遠近法図である。
【図５】第２実施形態に係る環境調整装置を採用する店舗の構造を概略的に示す遠近法図である。
【図６】第３実施形態に係る環境調整装置の構成を概略的に示す概念図である。
【考案を実施するための形態】
【００２３】
以下、添付図面を参照しつつ本考案の一実施形態を説明する。
【００２４】
図１は本考案の一実施形態に係る店舗を含む建造物の外観を概略的に示す。建造物１１は、鉄筋コンクリートや鉄筋鉄骨コンクリートその他の材質から形成される柱、梁、床、壁および天井を有する構造体１２と、構造体１２に組み込まれる窓枠１３や扉枠１４とを備える。窓枠１３にはガラス板が嵌め込まれる。扉枠１４には、垂直軸線回りで回転可能にヒンジで縦枠に連結される開き戸が配置される。
【００２５】
図２に示されるように、建造物１１内に間仕切り１５や置き床１６、天井板１７などで店舗１８は仕切られる。店舗１８内には１以上のテーブル１９が設置される。個々のテーブル１９は、置き床１６の床面から所定の高さに脚１９ａで支持される天板１９ｂを備える。テーブル１９には置き床１６の床面から所定の高さに座面を有するイス２１が組み合わせられる。イス２１には人間ＨＢのほか犬ＤＧその他の動物が座ることができる。
【００２６】
店舗１８は、犬ＤＧに心地よい周波数を含む音を出力する第１実施形態に係る環境調整装置２２を備える。環境調整装置２２は、構造体１２に関連づけられて、犬ＤＧに心地よい周波数を含む音を特定する音信号を出力する音源２３と、店舗１８内の空間に設置され、音源２３に接続されて音信号を受信し、音信号に基づき音を再生する音再生機２４とを備える。音源２３は、例えば音を特定するデジタルデータを記憶する記憶手段２５と、記憶手段２６から取得するデジタルデータからアナログ信号を再現し、音再生機２４に向けてアナログ信号を送信するデコーダー２６とを有する。音源２３と音再生機２４とは無線で接続されてもよく有線で接続されてもよい。その他、デジタルデータは記憶手段２５からデコーダー２６にＷｉＦｉといった無線で送信されてもよい。この場合には、デコーダー２６は音再生機２４に近接して配置されればよい。
【００２７】
音再生機２４は、店舗１８内の人間ＨＢに聞こえる音圧レベルよりも低い音圧レベルで犬ＤＧに音を聞かせる。ここでは、音再生機２４は、例えばテーブル１９の天板１９ｂに下方から組み込まれる（または取り付けられる）イヤホンやイヤホンに内蔵される程度の小型スピーカーで形成されればよい。出力される音の音圧レベルは、人間ＨＢの耳付近で最小可聴値未満に設定され、犬ＤＧの耳付近で最小可聴値以上に設定される。犬ＤＧに心地よい周波数は例えば５２８Ｈｚに設定される。したがって、犬ＤＧに心地よい周波数は人間ＨＢの可聴周波数域に含まれる。図３に示されるように、人間ＨＢの耳付近で音圧レベルは４ｄＢ以下に設定されればよい。
【００２８】
店舗１８には犬ＤＧその他のペットを連れてひとＨＢが訪れる。店舗１８ではひとＨＢおよび犬ＤＧに焼き肉その他の飲食物が提供される。音再生機２４は、犬ＤＧに心地よい周波数を含む音を出力するので、店舗１８内の犬ＤＧは吠えたり暴れたりせずに落ち着いて居る。特に、初めて居合わせた犬ＤＧ同士であっても、心地よい周波数を含む音の影響で、落ち着きなく騒ぐことは回避される。
【００２９】
このとき、音はひとＨＢに聞こえる音圧レベルよりも低い音圧レベルであるので、犬ＤＧはひとＨＢよりも４〜１０倍程度の聴力を有することから、音は犬ＤＧの耳に届くもののひとＨＢに聞こえることはなく、居合わせるひとＨＢに対して音の影響は排除されることができる。静かな雰囲気の中で会話や食事を楽しむひとＨＢたちに対して不快な思いを抱かせずに済む。ＢＧＭ（バックグラウンドミュージック）は音楽の種類によってひとの好みが分かれることから、無音楽であることで音楽の種類に左右されずに店舗１８にひとを引き寄せることができる。
【００３０】
犬ＤＧに心地よい周波数は、前述のように、人間ＨＢの可聴周波数域に含まれる。そもそも犬ＤＧに心地よい周波数が人間ＨＢの可聴周波数域外（例えば超高音波）であれば、音再生機２４からどんな音圧レベルで音が出力されても、居合わせる人間ＨＢに対して音の影響は排除されることができる。したがって、環境調整装置２２は、犬ＤＧに心地よい周波数が人間ＨＢの可聴周波数域に含まれる際に大いに効果を発揮する。
【００３１】
図４に示されるように、店舗１８には、環境調整装置２２に加えて、人間ＨＢ向けにＢＧＭやその他の音を出力する音響装置２７が設置されてもよい。音響装置２７は、構造体１２に関連づけられて、音楽を特定する音信号を出力する音源２８と、店舗１８内の空間に設置され、音源２８に接続されて音信号を受信し、音信号に基づき音を再生するスピーカー２９とを備える。スピーカー２９は、人間ＨＢの耳付近に最小可聴値以上で例えば音楽を聞かせる。スピーカー２９は例えば天井板１７に組み込まれればよい。この場合には、ひとＨＢの耳に対して、犬ＤＧに心地よい周波数を含む音は音楽でかき消されるので、環境調整装置２２の音再生機２４から出力される音の音圧レベルは高められることができる。環境調整装置２２に一般的な音響装置は利用されることができる。
【００３２】
図５に示されるように、店舗１８は、前述の第１実施形態に係る環境調整装置２２に代えて、犬ＤＧに心地よい周波数を含む音を出力する第２実施形態に係る環境調整装置３２を備えてもよい。環境調整装置３２は、構造体１２に関連づけられて、犬ＤＧに心地よい周波数を含む音を特定する音信号を出力する音源３３と、店舗１８内の空間に設置され、音源３３に接続されて音信号を受信し、音信号に基づき音を再生する音再生機３４とを備える。音源３３は前述の第１実施形態に係る音源２３と同様に構成されればよい。音再生機３４は、テーブル１９の天板１９ｂよりも低い空間に向けて音を出力する。音再生機３４は、例えばテーブル１９の天板１９ｂよりも低い空間に向かって指向性を有すればよい。前述と同様に、犬ＤＧに心地よい周波数は５２８Ｈｚに設定される。
【００３３】
一般に、店舗１８内では、犬ＤＧの耳はテーブル１９の天板１９ｂよりも低い空間内に位置することが多い。したがって、音再生機３４から出力される音は犬ＤＧに耳に届く。音再生機３４は、犬ＤＧに心地よい周波数を含む音を出力するので、店舗１８内の犬ＤＧは吠えたり暴れたりせずに落ち着いて居る。特に、初めて居合わせた犬ＤＧ同士であっても、心地よい周波数を含む音の影響で、落ち着きなく騒ぐことは回避される。このとき、ひとＨＢの耳はテーブル１９の天板１９ｂよりも高い空間内に位置することが多いので、音は犬ＤＧの耳に届くもののひとＨＢに聞こえることはなく、居合わせるひとＨＢに対して音の影響は排除される。音再生機３４は、天板１９ｂよりも低い空間に向かって指向性を有することから、指向性に応じて特定の空間にのみ音は伝達され、居合わせるひとＨＢの耳に対して音が到達することはできる限り抑制される。
【００３４】
犬ＤＧに心地よい周波数は、前述のように、人間ＨＢの可聴周波数域に含まれる。そもそも犬ＤＧに心地よい周波数が人間ＨＢの可聴周波数域外（例えば超高音波）であれば、音再生機３４からどんな音圧レベルで音が出力されても、居合わせる人間ＨＢに対して音の影響は排除されることができる。したがって、環境調整装置は３２、犬ＤＧに心地よい周波数が人間ＨＢの可聴周波数域に含まれる際に大いに効果を発揮する。
【００３５】
図６に示されるように、店舗１８は、前述の第１および第２実施形態に係る環境調整装置２２、３２に代えて、犬ＤＧに心地よい周波数を含む音を出力する第３実施形態に係る環境調整装置３６を備えてもよい。環境調整装置３６は、構造体１２に関連づけられて、犬ＤＧに心地よい周波数を含む音を特定する音信号を出力する音源３７と、犬ＤＧの首輪３８に取り付けられ、音源３７に接続されて音信号を受信し、音信号に基づき音を再生する音再生機３９とを備える。音再生機３９は、例えばＢｌｕｅｔｏｏｔｈ（登録商標）で飼い主のスマートホン端末４１に接続されることができる。スマートホン端末４１には、スマートホン端末４１向けのソフトウエアアプリケーション（いわゆるアプリ）４２が組み込まれればよい。スマートホン端末４１の画面でソフトウエアアプリケーション４２のアイコンがタップされると、ソフトウエアアプリケーション４１が実行される。ソフトウエアアプリケーション４２は例えばＷｉＦｉで店舗１８内の音源３７にスマートホン端末４１を接続する。こうして音信号のデジタルデータはスマートホン端末４１経由で音再生機３９に供給される。
【００３６】
音再生機３９は、店舗１８内の人間ＨＢに聞こえる音圧レベルよりも低い音圧レベルで犬ＤＧに音を聞かせる。ここでは、音再生機３９は、例えばイヤホンやイヤホンに内蔵される程度の小型スピーカーで形成されればよい。出力される音の音圧レベルは、人間ＨＢの耳付近で最小可聴値未満に設定され、犬ＤＧの耳付近で最小可聴値以上に設定される。前述と同様に、犬ＤＧに心地よい周波数は５２８Ｈｚに設定される。
【００３７】
音再生機３９は、犬ＤＧに心地よい周波数を含む音を出力するので、店舗１８内の犬ＤＧは吠えたり暴れたりせずに落ち着いて居る。特に、初めて居合わせた犬ＤＧ同士であっても、心地よい周波数を含む音の影響で、落ち着きなく騒ぐことは回避される。このとき、音再生機３９は犬ＤＧの耳に近く配置され、音はひとＨＢに聞こえる音圧レベルよりも低い音圧レベルであるので、音は犬ＤＧの耳に届くもののひとＨＢに聞こえることはなく、居合わせるひとＨＢに対して音の影響は排除される。静かな雰囲気の中で会話や食事を楽しむひとＨＢたちに対して不快な思いを抱かせずに済む。ＢＧＭは音楽の種類によってひとの好みが分かれることから、無音楽であることで音楽の種類に左右されずに店舗１８にひとＨＢを引き寄せることができる。音再生機３９は犬ＤＧの首輪３８に代えて犬ＤＧの耳に装着されてもよく飼い主ＨＢの手首に装着されてもよい。
【００３８】
犬ＤＧに心地よい周波数は、前述のように、人間ＨＢの可聴周波数域に含まれる。そもそも犬ＤＧに心地よい周波数が人間ＨＢの可聴周波数域外であれば、音再生機３９からどんな音圧レベルで音が出力されても、居合わせる人間ＨＢに対して音の影響は排除されることができる。したがって、環境調整装置３６は、犬ＤＧに心地よい周波数が人間ＨＢの可聴周波数域に含まれる際に大いに効果を発揮する。
【符号の説明】
【００３９】
１１…建造物、１２…構造体、１８…店舗、２２…環境調整装置、２３…音源、２４…音再生機、３２…環境調整装置、３３…音源、３４…音再生機、３６…環境調整装置、３７…音源、３９…音再生機、ＤＧ…犬、ＨＢ…人間（ひと）。
【図１】
0003219993.tif 000003
【図２】
0003219993.tif 000004
【図３】
0003219993.tif 000005
【図４】
0003219993.tif 000006
【図５】
0003219993.tif 000007
【図６】
0003219993.tif 000008